(57)【特許請求の範囲】
【請求項１】
コンクリート躯体に固定した複数のアンカーに、そのアンカーの外径より内径が大きい複数の貫通孔を有する鋼板の該貫通孔を通しその上からナットにより締付け、コンクリート躯体の表面と鋼板の裏面との間にグラウトを充填したコンクリート建造物の耐震補強構造であって、
ナットと鋼板との間には、座金を使用し、その座金には、アンカーの外径より内径が大きい貫通孔が形成されていると共に、その座金の貫通孔における当該座金の上面側にはその上面において当該座金の貫通孔と連続し、ナットよりも外側へ突出する切り欠き部が設けられていることを特徴とするコンクリート建造物の耐震補強構造。
【請求項２】
請求項１記載のコンクリート建造物の耐震補強構造において、
鋼板の裏面には、その鋼板の左右両側とその左右両側の間に所定間隔で鉛直方向に延びる鉛直方向長尺スペーサを設けると共に、その鋼板の下側に水平方向に延びる水平方向長尺スペーサを設けることを特徴とするコンクリート建造物の耐震補強構造。
【発明の詳細な説明】
【技術分野】
【０００１】
本発明は、鉄筋コンクリート（ＲＣ）躯体などのコンクリート躯体をアンカーと鋼板によって耐震補強するコンクリート建造物の耐震補強構造に関する。
【背景技術】
【０００２】
従来のコンクリート建造物の耐震補強構造として、例えば、コンクリート躯体をアンカーと鋼板によって耐震補強する構造が提案されている（例えば、特許文献１〜３参照。）。
【先行技術文献】
【特許文献】
【０００３】
【特許文献１】特開平１１−３２４３３７号公報
【特許文献２】特開平１０−２１９９２９号公報
【特許文献３】特開平１０−２０５１３４号公報
【発明の概要】
【発明が解決しようとする課題】
【０００４】
しかし、上述の特許文献１〜３に記載された従来のコンクリート建造物の耐震補強構造では、コンクリート躯体を大きな鋼板で覆って補強するため、鋼板の面積が大きくなる程、その重量が嵩むと共に、その全長も長くなるため、鋼板を吊り上げた際に鋼板が撓んでしまう。また、各アンカーは、それぞれコンクリート躯体の所定位置からずれて固定されたり、その躯体面に対して傾いた状態で固定される。これらのことより、鋼板をコンクリート躯体の所定位置に取り付ける際の作業性が悪いという問題がある。そのため、鋼板を複数枚に小さく分割して施工することも考えられるが、鋼板同士の境界部分のシーリングや接合などの作業が増えて、それだけ作業時間が嵩むという新たな問題が生じる。
【０００５】
また、コンクリート躯体と鋼板との間には、空間を形成し、グラウト（モルタル）をその空間全体に亘って充填させることで一体化を図るが、コンクリート躯体と鋼板との間隔が大きくなるほど、またコンクリート躯体の高さが高いほど、グラウトを充填する容積が大きくなるので、グラウトは注入後から直ぐに固化し始めることを考慮すると、グラウトが空間全体に密実に行き渡らないことが懸念されると共に、その確認が困難であるという問題もある。
【０００６】
そこで、本発明は、このような問題点に着目してなされたもので、第１には鋼板をコンクリート躯体に取り付ける際に鋼板が撓んでも、また、各アンカーがそれぞれ所定位置からずれて固定されたり、傾いた状態で固定されたとしても、容易に取り付けることができ、第２には、さらにコンクリート躯体と鋼板との間にグラウトを密実に行き渡せることができ、第３にはグラウトの行き渡り状態を簡単に目視で確認することができるコンクリート建造物の耐震補強構造を提供することを目的とする。
【課題を解決するための手段】
【０００７】
上記目的を達成するため、本発明に係るコンクリート建造物の耐震補強構造は、コンクリート躯体に固定した複数のアンカーに、そのアンカーの外径より内径が大きい複数の貫通孔を有する鋼板の該貫通孔を通しその上からナットにより締付け、コンクリート躯体の表面と鋼板の裏面との間にグラウトを充填したコンクリート建造物の耐震補強構造であって、ナットと鋼板との間には、座金を使用し、その座金には、アンカーの外径より内径が大きい貫通孔が形成されていると共に、その座金の貫通孔における当該座金の上面側にはその上面において当該座金の貫通孔と連続し、ナットよりも外側へ突出する切り欠き部が設けられていることを特徴とする。
ここで、鋼板の裏面には、その鋼板の左右両側とその左右両側の間に所定間隔で鉛直方向に延びる鉛直方向長尺スペーサを設けると共に、その鋼板の下側に水平方向に延びる水平方向長尺スペーサを設けても良い。
【発明の効果】
【０００８】
本発明に係るコンクリート建造物の耐震補強構造によれば、コンクリート躯体に取り付ける鋼板には、アンカーの外径より内径が大きい複数の貫通孔が形成されているので、鋼板をコンクリート躯体に取り付ける際に鋼板が撓んでも容易に取り付けることができると共に、鋼板の裏面には鉛直方向長尺スペーサと水平方向長尺スペーサを設けているため、そのスペーサが鋼板の補強の役割を果たし、鋼板の撓みを減少させることができると共に、グラウトを充填する空間が区切られるため、コンクリート躯体と鋼板との間にグラウトを密実に行き渡せることができる。
また、ナットと鋼板との間の座金には、アンカーの外径より内径が大きい貫通孔が形成されていると共に、その座金の貫通孔における当該座金の上面側にはその上面において当該座金の貫通孔と連続し、ナットよりも外側へ突出する切り欠き部を設けているため、貫通孔におけるグラウトの行き渡り状態を簡単かつ確実に目視で確認することができる。
【図面の簡単な説明】
【０００９】
【図１】本発明に係るコンクリート建造物の耐震補強構造の平面図、要部拡大平面図である。
【図２】本発明に係るコンクリート建造物の耐震補強構造の断面図、要部拡大断面図である。
【図３】鋼板の裏面側に長尺スペーサを設けた場合の背面図、Ａ−Ａ線断面図である。
【図４】切り欠き部を設けた座金の平面図、断面図、ナット装着状態を示す平面図である。
【発明を実施するための形態】
【００１０】
次に、本発明に係るコンクリート建造物の耐震補強構造の実施形態について図面を参照して説明する。
【００１１】
このコンクリート建造物の耐震補強構造では、図１（ａ），（ｂ）に示すように、鉄筋コンクリート製のＲＣ躯体に固定されたアンカー１１の外径より内径が大きい複数の貫通孔２１を有する鋼板２を使用してＲＣ躯体を耐震補強する。具体的には、図２（ａ），（ｂ）の断面図および要部拡大断面図に示すように、ＲＣ躯体１にあと施工アンカー等の各アンカー１１を、頭部を突出させて固定し、その各アンカー１１の頭部に鋼板２の各貫通孔２１を通して、その上から座金３を介してナット４により締付ける。その際、ＲＣ躯体１の表面と、鋼板２の裏面との間に空間を設ける。そして、その空間にグラウト５を充填する。すると、図２（ｂ）に示すように、ＲＣ躯体１と鋼板２との間の空間に充填したグラウト５が過大孔である鋼板２の貫通孔２１の内部にも充填されて硬化するので、ＲＣ躯体１と鋼板２とアンカー１１と座金３とをさらに一体化させる。
【００１２】
このように、この耐震補強構造によれば、ＲＣ躯体１に取り付ける鋼板２には、アンカー１１の外径より内径が大きい複数の貫通孔２１が形成されているので、鋼板２１をＲＣ躯体１に取り付ける際に鋼板２が撓んでいても、また、各アンカーがそれぞれ所定位置からずれて固定されたり、傾いた状態で固定されたとしても、容易に取り付けることができ、作業性が向上する。また、鋼板２の貫通孔２１は、アンカー１１の外径より大きい過大孔であり、ＲＣ躯体１と鋼板２との間の空間に充填したグラウト５がその貫通孔２１の内部にも充填され、ＲＣ躯体１と鋼板２とアンカー１１と座金３とを一体化させるので、より強固に耐震補強できる。
【００１３】
なお、以上の説明では、ＲＣ躯体１と鋼板２との間に空間を設けるための方法について具体的に説明しなかったが、例えば、図３（ａ），（ｂ）に示すように、鋼板２の裏面に、水平方向に所定間隔で鉛直方向に延びる鉛直方向長尺スペーサ２２を設けると共に、その鋼板２の下側に水平方向に延びる水平方向長尺スペーサ２３を設けるようにすると良い。このようにすると、長尺スペーサ２２，２３によりＲＣ躯体１と鋼板２との間の空間を簡単かつ確実に確保できると共に、その長尺スペーサ２２，２３が鋼板２の補強材の役割を果たし、鋼板２を大型化させても、鋼板２の撓みを減少させることができ、作業性が向上する。また、水平方向に所定間隔で設けた鉛直方向長尺スペーサ２２がＲＣ躯体１と鋼板２との間の空間を区分けすると共に、下方から水平方向長尺スペーサ２３がその空間を塞ぐので、ＲＣ躯体１と鋼板２との間にグラウト５を密実に行き渡せることができる。
【００１４】
また、ナット４をアンカー１１に装着して締め付ける際に座金３を使用するが、例えば、図４（ａ）〜（ｃ）に示すように、鋼板２の貫通孔２１とほぼ同じ内径の貫通孔３１の周囲に、ナット４よりも外側へ突出する切り欠き部３２を所定角度毎に設けた座金３’を使用するようにしても良い。このような座金３’を使用してアンカー１１にナット４を装着した場合、図４（ｃ）に示すように切り欠き部３２が貫通孔３１を介して鋼板２の貫通孔２１に連通する。そのため、ＲＣ躯体１と鋼板２との間の空間にグラウト５を充填した際に、その切り欠き部３２を介してグラウト５が滲み出してくることから、その空間におけるグラウト５の充填状況を目視で確認できる。
【符号の説明】
【００１５】
１…ＲＣ躯体（コンクリート躯体）、１１…アンカー、２…鋼板、２１…貫通孔、２２…鉛直方向長尺スペーサ、２３…水平方向長尺スペーサ、３，３’…座金、３１…貫通孔、３２…切り欠き部、４…ナット。
【図１】
0006000581.tif 000002
【図２】
0006000581.tif 000003
【図３】
0006000581.tif 000004
【図４】
0006000581.tif 000005